(57)【要約】      （修正有）【課題】防煙垂壁の素材がシート状の素材であっても、撓みを修正できるシート状防煙垂撓壁の撓み修正具を提供する。  【解決手段】シート状防煙垂壁の撓み修正具を設置した防煙垂壁であって、該シート状防煙垂壁Ｘの上端に、下部を開口したコ字状の天井レールを設け、且つ、シート状防煙垂壁Ｘの一端に、撓み修正具本体１を垂下・固定して設け、該本体１の垂下方向に凹部２を形成して設け、該凹部２に、シート状防煙垂壁Ｘの端部を巻回して嵌着する嵌挿肝３を設け、緊張した状態で貼着したシート状防煙垂壁Ｘの撓み嵌挿肝３に挟持されたシート状防煙垂壁Ｘを引っ張り、撓みを無くした状態で、固定具４で締め付け、あるいは部分的にも固定することを特徴とするシート状防煙垂壁の撓み修正具から構成されるものである。  【選択図】図２
0003208230.tif 000002
【実用新案登録請求の範囲】
【請求項１】
シート状防煙垂壁の撓み修正具を設置した防煙垂壁において、
該シート状防煙垂壁（Ｘ）の上端に、下部を開口したコ字状の天井レール（Ｙ）を設け、
且つ、前記シート状防煙垂壁（Ｘ）の一端に、撓み修正具本体（１）を垂下・固定して設け、
該本体（１）の長手方向に凹溝部（２）を形成して設け、
該凹溝部（２）に、前記シート状防煙垂壁（Ｘ）の端部付近を巻回した嵌挿肝（３）を、嵌着可能に設け、
撓んだシート状防煙垂壁（Ｘ）を、緊張した状態で貼着した前記シート状防煙垂壁（Ｘ）の撓みを
前記嵌挿肝（３）に挟持された前記シート状防煙垂壁（Ｘ）を引っ張り、撓みを無くした状態で
固定具（４）で締め付け、あるいは部分的にも固定する
ことを特徴とするシート状防煙垂壁の撓み修正具。
【請求項２】
前記撓み修正具本体（１）の凹溝部（２）における内壁部（２ａ）の末端部付近が、多角形あるいは、円形に沿う形状である
ことを特徴とする請求項１記載のシート状防煙垂壁の撓み修正具。
【請求項３】
前記嵌挿肝（３）の外壁部（３ａ）が、前記凹溝部（２）の内壁部（２ａ）と同形状である、
ことを特徴とする請求項１記載のシート状防煙垂壁の撓み修正具。
【請求項４】
前記固定具（４）が、撓み修正具本体（１）に複数個設けられた
ことを特徴とする請求項１記載のシート状防煙垂壁の撓み修正具。
【考案の詳細な説明】
【技術分野】
【０００１】
この考案は、シート状防煙垂壁の撓み修正具に関する。
【背景技術】
【０００２】
従来、ビルや大型店舗等の火災の際に、天井面に発生する煙を妨げ、煙の移動を防止することにより、犠牲者を出さないために、建築基準法の改正により、延べ面積や階数が所定以上の建築物には防煙垂壁を不燃材料で設けることが義務付けられ、多数の防煙垂壁（仕切り垂壁とも言う）が設けられている。
【０００３】
そして、当初、垂壁の部分はガラス板が吊り下げて設けられていたが、地震等により、ガラス板が割れて落下し、垂壁の下を通る通行人等が思わぬ怪我をすることが多く、最近ではガラス板に代わり、不燃性のシート材が設けられるようになった。例えば、特許文献１のように。
【先行技術文献】
【特許文献】
【０００４】
【特許文献１】特開２００７−１１７４７１号公報
【０００５】
しかしながら、この不燃性のシート材は、一枚のシート材であり、緊締して貼着してもいずれかの箇所に撓みが発生し、見た目に極めて体裁の悪いものであった。
【考案の概要】
【考案が解決しようとする課題】
【０００６】
そこで、上記課題を解決する為に、この考案は、防煙垂壁の素材がシート状の素材であっても、撓みを修正できるシート状防煙垂壁の撓み修正具を開発・提供する事にある。
【課題を解決するための手段】
【０００７】
この考案のシート状防煙垂壁の撓み修正具は、
シート状防煙垂壁の撓み修正具を設置した防煙垂壁であって、
該シート状防煙垂壁の上端に、下部を開口した天井レールを設け、
且つ、前記シート状防煙垂壁の一端に、撓み修正具本体を垂下・固定して設け、
該本体の垂下方向に凹部を形成して設け、
該凹部に、前記シート状防煙垂壁の端部を巻回して嵌着する嵌挿肝を設け、
緊張した状態で貼着した前記シート状防煙垂壁の撓みを
前記嵌挿肝に挟持された前記シート状防煙垂壁を引っ張り、撓みを無くした状態で
固定具で締め付け固定する
ことを特徴とする。
【０００８】
そして、
前記撓み修正具本体の凹溝部における内壁部の末端部付近が、円形あるいは多角形に沿う形状である
ことを特徴とする。
【０００９】
さらに、
前記嵌挿肝の外壁部が、前記凹溝部の内壁部と同形状である、
ことを特徴とする。
【００１０】
また、
前記固定具が、撓み修正具本体に複数個設けられた
ことを特徴とする。
【考案の効果】
【００１１】
この考案によると、前記シート状防煙垂壁（Ｘ）の端部付近を巻回した嵌挿肝（３）を、修正具本体（１）の凹部（２）に差し込み、はみ出た垂壁の部分を撓み部分を引っ張って修正したのち、固定具（４）で固定して撓みを無くすことができる等の効果を奏する。
【００１２】
また、前記シート状防煙垂壁（Ｘ）の上端部は、下部が開口された天井レール（Ｙ）を設けたことにより、撓んだシート状防煙垂壁（Ｘ）をコ字状の範囲内で修正が可能である。
【図面の簡単な説明】
【００１３】
【図１】この考案の一実施例を示す一部を切り欠いた正面図である。
【図２】この考案の一実施例を示す一部を切り欠いた断面図である。
【図３】この考案の一実施例を示す一部を切り欠いた背面図である。
【図４】この考案の他の実施例を示す一部を切り欠いた断面図である。
【考案を実施するための形態】
【００１４】
以下、この考案について詳細に説明する。尚、この考案においては、以下の記述に限定されるものではなく、この考案の要旨を逸脱しない範囲において適宜変更可能である。
【実施例】
【００１５】
そこで、この考案の一実施例を図１〜図３に基づいて詳述すると  シート状防煙垂壁の撓み修正具を設置した防煙垂壁であって、該シート状防煙垂壁（Ｘ）の上端に、下部を開口したコ字状の天井レール（Ｙ）を設け、且つ、前記シート状防煙垂壁（Ｘ）の一端に、撓み修正具本体（１）を垂下・固定して設ける。そして、該本体（１）の垂下方向に凹部（２）を形成して設け、該凹部（２）に、前記シート状防煙垂壁（Ｘ）の端部を巻回して嵌着する嵌挿肝（３）を設けており、緊張した状態で貼着した前記シート状防煙垂壁（Ｘ）の撓みを、前記嵌挿肝（３）に、挟持された前記シート状防煙垂壁（Ｘ）を引っ張り、撓みを無くした状態で、固定具（４）で締め付け固定、あるいは部分的にも固定することにより撓みを修正することを特徴とするシート状防煙垂壁の撓み修正具から構成されるものである。
【００１６】
なお、前記撓み修正具本体（１）の長さ寸法は、前記シート状防煙垂壁（Ｘ）の縦幅程度であり、該本体（１）の長手方向に形成された凹部（２）は、前方には、前記シート状防煙垂壁（Ｘ）が入り込む溝が形成されており、該溝と一体に、後方には、前記嵌挿肝（３）が嵌入する内壁部（２ａ）が形成されている。
【００１７】
また、前記凹部（２）の内壁部（２ａ）の末端部付近は、一部が、八角形等の多角形に形成されており、一実施例として八角形を有する前記外壁部（３ａ）の嵌挿肝（３）が嵌挿できるよう構成されており、前記八面のうち、六面が嵌入できるよう構成している。
【００１８】
そして、前記本体（１）の凹部（２）には、前記シート状防煙垂壁（Ｘ）を介して嵌挿肝（３）を嵌挿するものであり、凹部（２）の内壁部（２ａ）は、前記嵌挿肝（３）の外壁の八角形の八面のうち、六面部分が接触するよう構成されている。
【００１９】
また、前記嵌挿肝（３）の外壁部は、五角形から八角形程度がよく、一実施例としては、前記凹部の内壁部（２ａ）も嵌挿肝（３）の外壁部（３ａ）の一部は、八角形のうち、六角状に形成したものを図示している。
【００２０】
なお、前記シート状防煙垂壁（Ｘ）の他端は、凹部（２）の出口に沿ってカットするものである。
また、従来は、図４に示すように、巻き取り装置とその外部にアルミ板カバー（図４の点線部分を参照）が別々に設けられていたが、本願は前記撓み修正具本体（１）が巻き取り装置も備えておりカバーは不要であり簡素化できる。
【００２１】
さらに、前記嵌挿肝（３）の他の実施例としては、図４に示すように円筒状に形成された嵌挿肝（３´）であってもよい。従って、凹部（２）の内壁部（２ａ）の一部も円形状と嵌着するよう構成されている。
【００２２】
また、前記嵌挿肝（３）、（３´）の外周部（３ａ）は、ギザギザに形成してあってもよく、これにより、前記シート状防煙垂壁（Ｘ）に防滑効果をもたせてもよい。
【００２３】
なお、前記固定具（４）の一例として、ビスを示しており、また、撓み修正具本体（１）には、３個設けているが、他の部材であってもよく、また、個数に限定されるものではない。
【００２４】
また、前記固定具（４）は、部分的に締付・固定が可能であり、例えば、シート状防煙垂壁（Ｘ）を張り終わった、あるいはその途中で、該垂壁の下方に撓み（しわ）〔現場用語では映像ともいう。〕が確認された際には、該垂壁の上部に位置するビスはそのままで、中部に位置するビスは、±１ｍｍほど防煙垂壁（Ｘ）をずらしてビスを固定し、下部に位置するビスは±２ｍｍほど防煙垂壁（Ｘ）をずらして固定することにより撓みをなくすためのものである。
【産業上の利用可能性】
【００２５】
前記天井レール（Ｙ）の内部に、シート状防煙垂壁（Ｘ）のずれを防止のため接着剤や両面テープなどを用いて固定してもよい。
【００２６】
この考案のシート状防煙垂壁の撓み修正具の技術を確立し、実施することにより、産業上の利用可能性を有する。
【符号の説明】
【００２７】
１  修正具本体
２  凹部
２ａ  内壁部
３  嵌挿肝
３ａ  外壁部
３´嵌挿肝
４  固定具
Ｘ  シート状防煙垂壁
Ｙ  天井レール
【図１】
0003208230.tif 000003
【図２】
0003208230.tif 000004
【図３】
0003208230.tif 000005
【図４】
0003208230.tif 000006